(57)【特許請求の範囲】
【請求項１】
鞄の垂れ蓋における係止ベルトの先端部に固着され、鞄本体に固着された係止ベースに対する着脱が行われる係止金具において、前記係止ベースに定着される係止部と、前記係止ベルトの先端部を表裏から挟持し前記係止部と前記係止ベルトの先端部とを連結する挟持部とを具備し、当該挟持部における裏板の延出長を表板の延出長よりも長くし、且つ前記挟持部における裏板の先端部を緩やかな凸状に成形した鞄用垂れ蓋の係止金具。
【請求項２】
鞄の垂れ蓋における係止ベルトの先端部に固着され、鞄本体に固着された係止ベースに対する着脱が行われる係止金具において、前記係止ベースに定着される係止部と、前記係止ベルトの先端部を表裏から挟持し前記係止部と前記係止ベルトの先端部とを連結する挟持部とを具備し、当該挟持部における裏板の延出長を表板の延出長よりも長くし、且つ前記挟持部における基端部の前面を覆う起立板、及び当該基端部の側面を覆う側板を備えた鞄用垂れ蓋の係止金具。
【請求項３】
前記挟持部における裏板の先端部を緩やかな凸状に成形した前記請求項２に記載の鞄用垂れ蓋の係止金具。
【請求項４】
前記挟持部における裏板の延出長を表板の延出長よりも前記係止ベルトの厚み以上長くした前記請求項１乃至請求項３のいずれかに記載の鞄用垂れ蓋の係止金具。
【請求項５】
ランドセル用垂れ蓋における係止ベルトの先端部に設けられ、ランドセル本体に固着された係止ベースに対する着脱が行われる係止金具のランドセル用垂れ蓋における係止金具の取付構造において、
前記請求項１乃至請求項４のいずれかに記載された鞄用垂れ蓋の係止金具を、その挟持部の表板と裏板で前記係止ベルトの先端部を表裏から挟持することによって前記係止ベルトと連結してなるランドセル用垂れ蓋における係止金具の取付構造。
【請求項６】
前記挟持部の表板と係止ベルトの先端部との間に挟持固着された持ち手を備える前記請求項５に記載のランドセル用垂れ蓋における係止金具の取付構造。
【請求項７】
収納領域が大小複数に仕切られそれらが共に上向きに開口した本体を有し、当該開口部を、その周縁から延出した帯状の垂れ蓋を以って覆う様に閉鎖し、当該垂れ蓋の先端部に連結された係止金具を、本体の底部又は前部の表面に設けられた係止ベースに装着することにより当該閉鎖状態を維持する構成が採られているランドセルにおいて、
前記垂れ蓋における係止金具の取付構造に、前記請求項５又は請求項６に記載の取付構造を用いたランドセル。
【発明の詳細な説明】
【技術分野】
【０００１】
本発明は、鞄の垂れ蓋の係止ベルトの先端部に固着され、鞄本体に固着された係止ベースに対する着脱が行われる係止金具、及びその取付構造に関する。
【背景技術】
【０００２】
今日、ランドセルの様な垂れ蓋を有するタイプの鞄は、鞄本体の係止ベースへの連結長を調整することによって鞄の容量を調整できると言う他の鞄とは異なる利点がある他、鞄の特徴的デザインのひとつとして広い年代層に普及しているが、最も身近な例の一つが小学生の通学用のランドセルであろうと思われる。当該ランドセルは、収容される書籍や文具が多く、その取り扱いも通常の鞄と比較すれば極めて過酷なものと言える。また、当該小学生用のランドセルに要求される耐用年数も極めて長期に亘り、しかも、その間ほぼ毎日用いられることからしても、当該ランドセルの各部位に求められる耐久性は通常の鞄と比較して極めて厳しいものがある。その他、同じ様に連日酷使されるものとしては、ビジネス用鞄、或いは財布・ポーチ類等が挙げられる。
【０００３】
しかしながら、これらの様な鞄については、鞄としての耐久性が満足されれば良いというものではなく、使用感、使用対象者の体格に応じた重量、或いはデザインや風合いなど様々な要素が求められる。よって、限られた素材の中から適切な素材を選択することは勿論、選択された素材を生かすべく絶えず進歩適切な構造の選択が肝要となる。
【発明の開示】
【発明が解決しようとする課題】
【０００４】
例えば、ランドセルは、鞄本体の上開口部及び表側部の一部又は全部を覆う垂れ蓋を備えると共に、当該垂れ蓋の先端部に当該垂れ蓋とは別体の係止ベルトを備え、その先端に、鞄本体の底部等に固着された係止ベースに対する着脱が行える様な係止金具が固着されているが（例えば、下記特許文献１乃至特許文献３参照。）、当該係止金具から係止ベルトに亘る部分（以下、係止ベルト部分と記す。）は、その開け閉めが毎日の授業において頻繁に行われることから推測できる通り、最も修理の依頼が多い部分となっており、なかでも、係止金具の取付部における係止ベルトの亀裂がその大部分を占めている。因みに、弊社においては、年間約１０万個を製造するとして当該係止ベルト部分の修理依頼だけでも毎年２００件に迫る実績があり（表１参照）、依頼して来ないユーザを含めれば、その件数は１０倍或いはそれ以上もあろうかと推測できる。
【０００５】
【表１】
0003712206.tif 000002
【０００６】
【特許文献１】特開平８−２８４５１０号公報
【特許文献２】特開平１０−２９５４３０号公報
【特許文献３】特開２００１−１４９１２７号公報
【０００７】
本発明は、上記実情に鑑みてなされたものであって、ランドセル等の垂れ蓋を具備した鞄に求められる様々な要素を満足すべく選択された素材を生かし、係止ベルト部分における故障を抑制することが出来る鞄用垂れ蓋の係止金具及びランドセル用垂れ蓋における係止金具の取付構造の提供を目的とする。
【課題を解決するための手段】
【０００８】
上記課題を解決するために為された本発明による鞄用垂れ蓋の係止金具は、その垂れ蓋における係止ベルトの先端部に固着され、鞄本体に固着された係止ベースに対する着脱が行われる係止金具において、前記係止ベースに定着される係止部と、前記係止ベルトの先端部を表裏から挟持し前記係止部と前記係止ベルトの先端部とを連結する挟持部とを具備し、当該挟持部における裏板の延出長を表板の延出長よりも長く、好ましくは、前記係止ベルトの厚み以上長くしたことを特徴とする。前記挟持部における裏板の先端部を、例えば、緩やかな円弧状、或いは台形の上底部の様な緩やかな凸状に成形しても良く、前記挟持部における基端部の前面を覆う起立板、及び当該基端部の側面を覆う側板を備えた構造としても良い。前記挟持部の表板の延出長を、当該挟持部の裏板の延出長の略半分以下とする場合もある。
【０００９】
また、上記課題を解決するために為された本発明によるランドセル用垂れ蓋における係止金具の取付構造は、当該垂れ蓋における係止ベルトの先端部に設けられ、ランドセル本体に固着された係止ベースに対する着脱が行われる係止金具のランドセル用垂れ蓋における係止金具の取付構造において、上記鞄用垂れ蓋の係止金具を、その挟持部の表板と裏板で前記係止ベルトの先端部を表裏から挟持することによって前記係止ベルトと連結したことを特徴とする。
【００１０】
垂れ蓋の開閉時において、前記係止金具の取付部にかかる負荷の軽減を図るべく、前記挟持部の表板と係止ベルトの先端部との間に挟持固着された持ち手を備える構造を採ることもできるし、かかった応力の分散を図るべく、前記挟持部の表板の延出長が、当該挟持部の裏板の延出長の略半分以下とする構造を採用する場合もある。
【発明の効果】
【００１１】
本発明による鞄用垂れ蓋の係止金具及びランドセル用垂れ蓋における係止金具の取付構造によれば、係止金具の挟持部における表板と裏板のエッジ部分が表裏で不揃いとなることから、当該エッジ部分での係止ベルトの折れが抑制され、しかも、裏板の延出長を長くとったことによって、係止ベースから引き剥がす際の比較的強い応力を、比較的広い面積に分散させると共に、前記エッジ部分が係止ベルトに加える力を軽減することで係止ベルトの消耗を少なくすることが出来る。
【００１２】
更に、延出長の短い表板と係止ベルトの先端部との間に挟持固着された持ち手を設けることによって、係止ベースから引き剥がす際の力点を前記係止ベルトの負担が比較的小さい箇所に固定し、更に前記挟持部の表板の延出長が、当該挟持部の裏板の延出長の略半分以下とすることによって、係止ベースから引き剥がす際に、裏板のエッジ部を引き寄せる作用が抑制されることから、係止ベルトにかかる圧力を確実に軽減することが出来る。
【発明を実施するための最良の形態】
【００１３】
以下、本発明による鞄用垂れ蓋（以下、垂れ蓋１と記す。）の係止金具（以下、係止金具２と記す。）、及びランドセル用垂れ蓋における係止金具の取付構造の実施の形態を図面に基づき説明する。
一般的に、ランドセルは、収納領域が大小複数に仕切られそれらが共に上向きに開口した本体３を有しており、当該開口部を、その周縁から延出した帯状の垂れ蓋１を以って覆う様に閉鎖し、当該垂れ蓋１の先端部に連結された係止金具２を、本体３の底部又は前部の表面に設けられた係止ベース４に装着することにより当該閉鎖状態を維持する構成が採られている（図４参照）。
【００１４】
図１、図２、図３（Ａ）（Ｂ）、及び図４に示す係止金具２は、前記垂れ蓋１における係止ベルト５の先端部に前記係止部材として固着され、本体３に固着された係止ベース４に対する着脱が行われるものである。尚、これらの例は、本体３の底部の表面に係止ベース４を設けた例を示したものであり、本体３の前部の表面に係止ベース４を設ける場合にあっては、前記垂れ蓋１並びに係止ベルト５の長さはより短いものとなり、場合によっては、係止金具２を垂れ蓋１の先端部に直接固定することもできる。
【００１５】
当該係止金具２は、前記係止ベース４に定着される係止部６と、前記係止ベルト５の先端部を表裏から挟持し前記係止部６と前記係止ベルト５の先端部とを連結する挟持部７とを具備し、当該挟持部７における裏板８の延出長を表板９の延出長よりも前記係止ベルト５の厚み以上長くしたものである。ここで、図２には、当該挟持部７における裏板８の延出長を表板９の延出長よりも前記係止ベルト５の厚みより僅かに長くすると共に、裏板８の先端部を緩やかな円弧状とした例を示すと共に、図１及び図３（Ａ）（Ｂ）には、裏板８の延出長を更に長くとり、前記挟持部７の表板９の延出長が、当該挟持部７の裏板８の延出長の略半分以下となるまでにした例を示した。
【００１６】
当該例において前記係止金具２は、押え部材１１と係止部材１２とからなる二部材によって構成される。
【００１７】
前記押え部材は、Ｌ字状に屈曲して略直角な向きを採る前記表板９及び起立板１０を備えると共に、当該表板９及び起立板１０に連続してそれぞれに対し略直角な向きを採り、且つ前記Ｌ字状の屈曲により生じた空間の両側方を覆う側板１８，１８を兼ね備えることにより、前記表板９と裏板８の基点となる基端部の前面を覆う起立板、及び当該基端部の側面を覆う側板１８，１８を備えた構造の前記挟持部７を構成する（図３参照）。
【００１８】
一方、前記係止部材１２は、前記係止部６を備えた平板状を呈し、当該係止部材１２の先端には環状のフック１３が延設され、中間部には長孔１５が前後に（当該係止部材１２の基部から先部に）二つ並べて穿設され、左右の縁部には前後方向に伸びるリブが一対設けられている。当該長孔１５には、前記係止ベース４上に９０度刻みで旋回する様に設けられたロック摘み１４が嵌り、その９０度単位の旋回に応じて当該係止状態のロック及び解除を順次行える様にされている。
【００１９】
本発明によるランドセル用垂れ蓋における係止金具の取付構造（以下、取付構造と記す）は、前記垂れ蓋１における係止ベルト５の先端部に設けられるものであって、前記係止金具２を、その挟持部７の表板９と裏板８で前記係止ベルト５の先端部を表裏から挟持すると共に、それらにリベット１６を貫通させてかしめることによって当該係止ベルト５と連結し、前記起立板１０及び側板１８，１８の端面が係止部材１２の表面に当接して前記係止ベルト５の先端部が覆われ、当該先端部がほつれや加水分解等から保護される。
【００２０】
前記係止ベルト５と同様に、例えば、クラリーノ等の比較的丈夫な帯状の素材をループ状に折り返して持ち手１７を形成し、当該素材の両端部にあたる部分を前記挟持部７の表板９と係止ベルト５の先端部との間に介在すれば、それらにリベット１６を貫通させてかしめることによって、当該持ち手１７が前記係止ベルト５と共に挟持固着される。
【００２１】
その際、当該挟持部７における裏板８の延出長を表板９の延出長よりも前記係止ベルト５の厚み以上長くすれば、当該係止金具２が前記係止ベース４の脱着にかかわる操作が加えられる場合であっても、前記係止ベルト５の特定の箇所へ挟持部７により直接的に応力が加えられるのを防止でき、持ち手１７を引くことに伴って係止ベルト５が図３（Ｃ）の様に屈曲させられることも防止することが出来る。
【００２２】
更に、前記挟持部７の表板９及び裏板８の延出長が、ともに当該挟持部７の機能を果たすために必要な挟持代としての長さを維持し、且つ当該表板９の延出長が前記裏板８の延出長の略半分以下となるように設定すれば、前記持ち手１７をつかんで係止金具２を係止ベース４から引き剥がす際には、図３（Ｂ）の様に、裏板８の広い面積を以って係止金具２が係止ベルト５の裏面の広域に接触して圧力を加えることとなり、その結果として、当該係止金具２のエッジ部分が係止ベルト５に加える応力も大きく軽減できる。
【産業上の利用可能性】
【００２３】
本願発明は、通常のバッグ等と比較して、その使用期間及び使用頻度が多く、或いは使用時において係止ベルトに加わる付加が大きいランドセルやビジネスバッグを目的として案出したものであるが、同様の係止手法を要するバッグや袋等にも当然利用できるものであり、その実用効果は極めて高い。
【図面の簡単な説明】
【００２４】
【図１】本発明による鞄用垂れ蓋の係止金具及びランドセル用垂れ蓋における係止金具の取付構造の一例を（Ａ）：表側及び（Ｂ）：裏側から示した説明図である。
【図２】本発明による鞄用垂れ蓋の係止金具及びランドセル用垂れ蓋における係止金具の取付構造の一例を（Ａ）：表側及び（Ｂ）：裏側から示した説明図である。
【図３】（Ａ）：本発明による鞄用垂れ蓋の係止金具、（Ｂ）：本発明による鞄用垂れ蓋の係止金具及びランドセル用垂れ蓋における係止金具の取付構造、並びに（Ｃ）：従来のランドセル用垂れ蓋の係止金具、及びランドセル用垂れ蓋における係止金具の取付構造の一例を側方から示した説明図である。
【図４】一般的なランドセルの構造の一例を底側から示した斜視図である。
【符号の説明】
【００２５】
１  垂れ蓋，２  係止金具，３  本体，４  係止ベース，５  係止ベルト，
６  係止部，７  挟持部，８  裏板，９  表板，１０  起立板，
１１  押え部材，１２  係止部材，
１３  フック，１４  ロック摘み，１５  長孔，１６  リベット，１７  持ち手，
１８  側板，
【要約】
【課題】  ランドセル等の垂れ蓋を具備した鞄に求められる様々な要素を満足すべく選択された素材を生かし、係止ベルト部分における故障を抑制することが出来る鞄用垂れ蓋の係止金具及びランドセル用垂れ蓋における係止金具の取付構造の提供。
【解決手段】  鞄の垂れ蓋における係止ベルトの先端部に固着され、鞄本体に固着された係止ベースに対する着脱が行われる係止金具において、前記係止ベースに定着される係止部と、前記係止ベルトの先端部を表裏から挟持し前記係止部と前記係止ベルトの先端部とを連結する挟持部とを具備し、当該挟持部における裏板の延出長を表板の延出長よりも長くした鞄用垂れ蓋の係止金具及びランドセル用垂れ蓋における係止金具の取付構造。
【選択図】      図３
【図１】
0003712206.tif 000003
【図２】
0003712206.tif 000004
【図３】
0003712206.tif 000005
【図４】
0003712206.tif 000006